(57)【要約】      （修正有）【課題】着心地が良く魅力的で、体にフィットし、体の形状を整える機能を持ったスチール・リングを使用した3Dブラカップを提供する。【解決手段】スチール・リングを使用した3Dブラカップであって、ブラカップ本体は上側の層と下側の層からなり、補強用スチール・リングは上側の層と下側の層の間に備えられ、人間の胸部の下方の部分と側方の部分に対応してブラカップに厚手の部分が設けられている。突き出た滑り止めバーがブラカップの内面側に設けられており、熱成形された薄い部分がブラカップ本体のエッジ部分に設けられている。ブラカップの本体は、セミカップ形状、あるいはショルダーバンドを備えた3/4カップ形状、あるいは三角形状のカップ形状のものであっても良い。【選択図】図１
0003113261.tif 000002
【実用新案登録請求の範囲】
【請求項１】
スチール・リングを使用した3Dブラカップであって、ブラカップ本体(1)は上側の層(11)と下側の層(12)からなり、補強用スチール・リング(4)が上側の層(11)と下側の層(12)の間に備えられ、人間の胸部の下方の部分と側方の部分に対応して前記ブラカップの本体(1)に厚手の部分(2)が設けられていることを特徴とするブラカップ。
【請求項２】
請求項1に記載したスチール・リングを使用した3Dブラカップであって、突き出た滑り止めバー(9)が前記ブラカップ(1)の内面側に設けられていることを特徴とするブラカップ。
【請求項３】
請求項1に記載したスチール・リングを使用した3Dブラカップであって、熱成形された薄い部分(3)が前記ブラカップ本体(1)のエッジ部分に設けられていることを特徴とするブラカップ。
【請求項４】
請求項1乃至3のいずれかに記載したスチール・リングを使用した3Dブラカップであって、前記ブラカップ(1)は、セミカップ形状(5)、あるいはショルダーバンド(8)を備えた3/4カップ形状、あるいは三角形状のカップ形状(6)からなることを特徴とするブラカップ。
【考案の詳細な説明】
【技術分野】
【０００１】
本考案は、衣服の分野であって、特に女性用下着に係るものであり、スチール・リングを使用した3Dブラカップに関係する。
【背景技術】
【０００２】
従来技術においては、ブラカップは着用者の胸を保護すると共に支持するために、そして女性の外観を飾り、完全な体の曲線を表すためにブラジャーのような下着の胸部の重要な要素として使用されてきている。ブラカップはほとんどの場合、充填材料として熱成形したスポンジが使用されており、その外側エッジはスチール・リングとして知られている金属あるいは剛な非金属補強リブによって形づけられている。スチール・リングは通常ブラジャーのブラカップの布地の表面に縫いつけられている。係る構造を有するブラカップは、スチール・リングが存在するために、往々にして着用者の着心地を悪くしている。更に、従来技術のブラカップは、外観が平坦でなく、着用した場合に変形するというようなその他の不都合な点もある。
【考案の開示】
【考案が解決しようとする課題】
【０００３】
本考案が解決しようとする課題は、着心地が良く魅力的で、体にフィットし、体の形状を整える機能を持ったスチール・リングを使用したブラカップを提供することである。
【課題を解決するための手段】
【０００４】
上述した課題を解決するため、本考案では以下に説明するような方法を取った。
【０００５】
スチール・リングを使用した3Dブラカップであって、ブラカップ本体は上側の層と下側の層からなり、補強用スチール・リングは上側の層と下側の層の間に備えられ、人間の胸部の下方の部分と側方の部分に対応して前記ブラカップに厚手の部分が設けられている。
【０００６】
突き出た滑り止めバーが前記ブラカップの内面側に設けられている。
【０００７】
熱成形された薄い部分が前記ブラカップ本体のエッジ部分に設けられている。
【０００８】
前記ブラカップの本体は、セミカップ形状、あるいはショルダーバンドを備えた3/4カップ形状、あるいは三角形状のカップ形状のものであっても良い。
【考案の効果】
【０００９】
本考案によれば、ブラジャーのような下着の内面側曲面を着用者の胸部形状にフィットさせ、着用者が快適なフィット感を味わうことができるようにするものである。隠されているスチール・リングは魅力的な外観を提供するばかりではなく、着用者の胸部の形状を適切に補強し、矯正するものである。その結果、十分に飛び出し、豊満で、完全な曲線の胸部を持った女性らしいスタイルを作り出し、体にフィットし体の線をシェイプアップするための下着に対する消費者の要求を満たすことができるようになる。
【考案を実施するための最良の実施形態】
【００１０】
以下に、図1乃至10に基づき、本願考案の好適な実施例についての詳細な説明を行う。
【００１１】
実施例1: 図1乃至4、6、7、および10を参照
この実施例においては、前記ブラカップの本体1は、上側の層11と下側の層12からなり、補強用スチール・リング4は上側の層11と下側の層12の間に備えられ、係る構造はブラカップの全体としてのスムースさおよび魅力的な外観を与え、人間の胸部の下方の部分と側方の部分に対応して前記ブラカップ本体1に厚手の部分2が設けられている。厚手の部分を設けた目的は、本願考案のブラカップを人間の胸部曲面によりフィットさせ、胸部を補強し形状を矯正する機能を実際に実現するためである。本願考案のブラカップの着心地を改善し、ショルダーバンド21と後ろ側の連結バンド22との間の縫い目を改良するために、前記ブラカップの本体1のエッジ部分の上に熱成形された薄い部分3が設けられている。前記ブラカップの本体1はショルダーバンド8を備えた3/4カップ形状を有するか、あるいは三角形状のカップ形状6を備えるものであっても良い。ショルダーバンド8を備えた3/4カップ形状のものが本実施例に適用されている。本実施例では、連結用のショルダーバンド21、後ろ側の連結バンド22、および中央の連結用バックル23を有し、優れた着心地、補強部を有する魅力的なブラカップ、および形状矯正機能を有する。
【００１２】
実施例2: 図5、8および9を参照
この実施例においては、前記ブラカップ本体1はセミカップ形状5を有し、突き出た滑り止めバー9が前記ブラカップ本体1の内面側に設けられている。この滑り止めバー9は、ブラカップの内面側と胸部の肌との間の摩擦を増加させ、ブラジャーの全体としての移動と同様、ブラカップの移動を防止し、着用者の着心地を改善するものである。この実施例のその他の部分は、実施例1と同様である。
【図面の簡単な説明】
【００１３】
【図１】本考案の構造を示した図である。
【図２】図1に示す本考案のA-A断面を示したものである。
【図３】図1に示す本考案のB-B断面を示したものである。
【図４】本考案の分解図を示したものである。
【図５】本考案のセミカップ構造の図を示したものである。
【図６】本考案の三角形状のカップ構造の図を示したものである。
【図７】本考案のショルダバンドを有する3/4カップの形状を有する構造の図を示したものである。
【図８】本考案の突き出た滑り止めバーの構造を示したものである。
【図９】本考案における図8のC-C断面を示したものである。
【図１０】本考案の実際の応用例を示したものである。
【符号の説明】
【００１４】
1       ブラカップの本体
2       厚手の部分
3       薄い部分
4       補強用スチール・リング
5       セミカップ形状
6       三角形状のカップ形状
8       ショルダーバンド
9       滑り止めバー
11      上側の層
12      下側の層
21      ショルダーバンド
22      後ろ側の連結バンド
23      連結用バックル
【図１】
0003113261.tif 000003
【図２】
0003113261.tif 000004
【図３】
0003113261.tif 000005
【図４】
0003113261.tif 000006
【図５】
0003113261.tif 000007
【図６】
0003113261.tif 000008
【図７】
0003113261.tif 000009
【図８】
0003113261.tif 000010
【図９】
0003113261.tif 000011
【図１０】
0003113261.tif 000012